(57)【要約】      （修正有）【課題】法面等の斜面を締固める締固め装置であって、十分な締固め力によって斜面の締固め作業を効率的に行うことが可能であるとともに、周辺家屋の固有周期に比べて遥かに高い振動数で振動する押圧面により斜面を締固めることによって周辺家屋の共振を効率的に防止できる締固め装置を提供する。【解決手段】振動装置２を備え、斜面Ｇを押圧する押圧面１６ａを形成し、振動装置２の振動を押圧面１６ａに伝えることによって斜面Ｇを締固める締固め装置であって、吊下げ装置３０によって吊下げ支持されるように振動装置２を構成し、振動装置２の下端側にブロック体３の上端側を懸架して支持し、前記押圧面１６ａをブロック体３の下面側に形成し、押圧面１６ａが斜面Ｇに接地される位置まで下降されたブロック体３を振動させることにより締固めを行う。【選択図】図１
0003163439.tif 000002
【実用新案登録請求の範囲】
【請求項１】
振動装置（２）を備え、斜面（Ｇ）を押圧する押圧面（１６ａ）を形成し、振動装置（２）の振動を押圧面（１６ａ）に伝えることによって斜面（Ｇ）を締固める締固め装置であって、吊下げ装置（３０）によって吊下げ支持されるように振動装置（２）を構成し、振動装置（２）の下端側にブロック体（３）の上端側を懸架して支持し、前記押圧面（１６ａ）をブロック体（３）の下面側に形成し、押圧面（１６ａ）が斜面（Ｇ）に接地される位置まで下降されたブロック体（３）を振動させることにより締固めを行う締固め装置。
【請求項２】
ブロック体（３）の押圧面（１６ａ）は、斜面（Ｇ）に沿うように鉛直方向に対して傾いた傾斜面からなる請求項１に記載の締固め装置。
【請求項３】
コンクリートブロック（１６）と、該コンクリートブロック（１６）に一部が埋設されて上方突出する金属製棒状部材（１７）とによって、前記ブロック体（３）を構成した請求項１乃至２の何れかに記載の締固め装置。
【請求項４】
金属性棒状部材（１７）が上下方向のＨ形鋼によって構成された請求項３に記載の締固め装置。
【請求項５】
Ｈ形鋼（１７）の上端部を挟持して保持する一対の挟持体（１４Ａ），（１４Ｂ）を振動装置（２）に設けた請求項４に記載の締固め装置。
【考案の詳細な説明】
【技術分野】
【０００１】
本考案は、法面等の斜面を締固める締固め装置に関する。
【背景技術】
【０００２】
法面等の斜面を対象として締固め作業を行うものとして、油圧ショベルに装備されているバケットを用いて土羽打ちを行う特許文献１に示す締固め装置が公知になっている。具体的には、バケットにより盛り土を行った後、アームを揺動させることにより、バケット下面で法面を打ち叩く土羽打ちを行い、法面を締固める。
【０００３】
また、車両本体に取付支持されたアームの先端側に直接振動装置を取付け、該振動装置によって加振される振動板の下面側に押圧面を形成し、該押圧面を、斜面を押圧した状態で振動させることにより、斜面を締固める特許文献２に示す締固め装置が公知になっている。
【先行技術文献】
【特許文献】
【０００４】
【特許文献１】特開平０７−１６６５６９号公報
【特許文献２】特開平０９−２０９３３７号公報
【考案の概要】
【考案が解決しようとする課題】
【０００５】
上記特許文献１に示す締固め装置は、アームを揺動駆動させて法面にバケット下面を衝突させた際の反力がアームを介して車両本体に作用するため、締固め力を所定以上強く設定すると、車両本体が転倒する虞がある他、法面を所定間隔で打ち叩くことにより、低周波が発生し、家屋と共振して振動公害が及ぼす場合もある。
【０００６】
一方、特許文献２に示す締固め装置も、締固め力を強くするためには、押圧面を強く斜面に押付けるためにアームを揺動させる駆動力を大きくする必要があり、その場合には、大きな反力がアームを介して車両本体に作用することになり、特許文献１と同様の問題が生じる。また、振動装置がアーム先端部に直接取付けられているため、振動装置の振動がアームを介してダイレクトに車両本体に伝わり、振動数を自由に設定することができず、作業状況によっては低周波が発生する虞がある。
【０００７】
すなわち、これらの締固め装置では、締固め力を強くするために、アームを揺動させる駆動力を大きく設定する必要があるが、駆動力の増加に伴って車両本体に作用する反力も大きくなるため、場合によっては、締固め力を強くすることが難しく、十分な締固め作業を行えない場合がある他、作業環境によって締固め作業時に低周波が発生し、家屋と共振する場合がある。
【０００８】
本考案は、法面等の斜面を締固める締固め装置であって、十分な締固め力によって斜面の締固め作業を効率的に行うこと可能であるとともに、締固め作業時の低周波の発生を効率的に防止できる締固め装置を提供することを課題とする。
【課題を解決するための手段】
【０００９】
上記課題を解決するため本考案は、第１に、振動装置２を備え、斜面Ｇを押圧する押圧面１６ａを形成し、振動装置２の振動を押圧面１６ａに伝えることによって斜面Ｇを締固める締固め装置であって、吊下げ装置３０によって吊下げ支持されるように振動装置２を構成し、振動装置２の下端側にブロック体３の上端側を懸架して支持し、前記押圧面１６ａをブロック体３の下面側に形成し、押圧面１６ａが斜面Ｇに接地される位置まで下降されたブロック体３を振動させることにより締固めを行うことを特徴としている。
【００１０】
第２に、ブロック体３の押圧面１６ａは、斜面Ｇに沿うように鉛直方向に対して傾いた傾斜面からなることを特徴としている。
【００１１】
第３に、コンクリートブロック１６と、該コンクリートブロック１６に一部が埋設されて上方突出する金属製棒状部材１７とによって、前記ブロック体３を構成したことを特徴としている。
【００１２】
第４に、金属性棒状部材１７が上下方向のＨ形鋼によって構成されたことを特徴としている。
【００１３】
第５に、Ｈ形鋼１７の上端部を挟持して保持する一対の挟持体１４Ａ，１４Ｂを振動装置２に設けたことを特徴としている。
【考案の効果】
【００１４】
本考案によれば、吊下げ装置によって吊下げ支持されるように振動装置を構成し、振動装置の下端側にブロック体の上端側を懸架して支持し、前記押圧面をブロック体の下面側に形成し、押圧面が斜面に接地される位置まで下降されたブロック体を振動させることにより締固めを行うため、重いブロック体を用いることにより、締固め力を大きくすることが容易であって、この締固め力の増大によって斜面側の地層強度をさらに向上させることが可能であるとともに、ブロック体の大きさや形状を変更することにより押圧面の面積を広げることが容易であって、この押圧面の拡大により作業速度を向上させることもできる。
【００１５】
この他、振動装置が吊下げ支持されているため、振動装置をアームの先端側に直接取付けたものと比べ、振動装置およびブロック体の振動が吊下げ装置に伝わることが抑制されるため、その振動数を低い値から高い値まで自由に設定することが可能になる。これにより、例えば、周辺家屋の固有周期に比べて遥かに高い振動数を設定して、低周波発生による家屋の共振を確実に防止することが可能になる。
【００１６】
また、ブロック体の押圧面を、斜面に沿うように鉛直方向に対して傾いた傾斜面から構成すれば、斜面に対して垂直な方向に作用する力に加えて、斜面に沿う方向にも力を作用させることができるため、斜面での剪断剥がれに対する耐久性を向上させることが可能になる。
【００１７】
さらに、Ｈ形鋼の上端部を挟持して保持する一対の挟持体を振動装置に設ければ、ブロック体が一体的に振動装置に保持せしめられ、該振動装置の振動をより効率的にブロック体に伝えることが可能になる。
【図面の簡単な説明】
【００１８】
【図１】（Ａ）は、本考案を適用した締固め装置および該締固め装置を吊下げるクレーンの全体図であり、（Ｂ）は締固め装置の構成図である。
【図２】図２（Ａ）は振動装置の構成を示す図であり、（Ｂ）は偏心ローラの構成を示す図であり、（Ｃ）は一対の挟持体の構成を示す平面図である。
【考案を実施するための形態】
【００１９】
以下、図面により本考案を実施するための形態について説明する。
図１（Ａ）は、本考案を適用した締固め装置および該締固め装置を吊下げるクレーンの全体図であり、（Ｂ）は締固め装置の構成図である。図示する締め固め装置（転圧装置）１は、吊下げ装置３０の一種であるクレーンのクレーンのフック部３１に係脱自在に引掛けられて吊下げ支持される振動装置２と、振動装置２の下端側に懸架して支持されるブロック体３とから構成されている。
【００２０】
また、クレーン３０は、車両本体３２に上下揺動可能にビーム３３を支持し、このビーム３３を伸縮可能に構成し、該ビーム３３の先端にワイヤ３４を介して上記フック部３１を昇降可能に支持することにより構成されている。
【００２１】
図２（Ａ）は振動装置の構成を示す図であり、（Ｂ）は偏心ローラの構成を示す図であり、（Ｃ）は一対の挟持体の構成を示す平面図である。振動装置２は、フック部３１に係脱自在に引掛けて係合させるリング部４ａを上端側に有する基部４と、該基部４の下方側に弾性部材であるバネ６，７を介して上下動可能に連結支持された振動体８とを備えており、該振動体８は、油圧作動するモータ９と、該モータ９の動力がベルト伝達されて回転駆動される一対の偏心ローラ１１Ａ，１１Ｂを備えている。
【００２２】
一対の偏心ローラ１１Ａ，１１Ｂは、重心が回転軸からずらされた重りであって、互いの対向中心Ｏを挟んで対称となるように姿勢及び配置が定められ、その対称関係を保持しながら（相対方向に）回転駆動される。
【００２３】
このため、回転駆動中、一対の偏心ローラ１１Ａ，１１Ｂは、互いに同期しながら、重心位置が同タイミングで上下に移動し、この重心の上下動により、基部４に対して振動体８が、鉛直方向である上下方向（図において矢印Ｕ及びと矢印Ｄで示す方向）に振動する。
【００２４】
ちなみに、振動体８の振動数は、高めに設定される。具体的には、１分間に１０００回程度振動するようにモータ９の回転数が設定されており、これによって、低周波振動が発生することを防止している。
【００２５】
振動体８の下側には、振動体８と一体的に振動する保持機構１２が一体化されて設けられている。具体的には、保持機構１２が上下方向の支持ブラケット１３を備え、ブラケット１３の下端部には下方が開放された切欠き状の挿入部１３ａが形成され、この挿入部１３ａの両縁側には、それぞれ挟持体（保持体）１４Ａ，１４Ｂが設置されている。
【００２６】
この一対の挟持体１４Ａ，１４Ｂは、油圧作動によって、互いに離間・近接する側に移動駆動可能に、支持ブラケット１３に支持される。この一対の挟持体１４Ａ，１４Ｂは、互いに近接する側に移動駆動されることにより、挿入部１３ａ側に進出して、対象物を挟持して保持する保持状態と、互いに離間する側に移動駆動されることにより、挿入部１３ａ側から退避して、対象物の保持を解除する解除状態とに切換可能に構成されている。
【００２７】
ブロック体３は、６面体となるコンクリートブロック１６と、該コンクリートブロック１６に下部が埋設固定された上下方向のＨ形鋼（金属製棒状部材）１７とを備えた重量物である。
【００２８】
振動装置２に懸架されて支持されたブロック体３は、側周面が鉛直方向に平行になるとともに、上面及び下面が法面（斜面）Ｇに対して平行になって、側面視平行四辺形（さらに具体的には、菱形）をなしている。すなわち、ブロック体３の下面は、鉛直方向および水平方向に対して傾いた傾斜面１６ａになる。この傾斜面１６ａは、法面（斜面）Ｇに沿って略平行に傾斜して、該法面Ｇを押圧する押圧面であって、図示する例では、法面Ｇの傾斜角度θは、水平方向に対して３０〜３２°程度になっている。
【００２９】
Ｈ形鋼１７は平断面視Ｈ形に成形され上下方向に延びる金属製部材であって、コンクリートブロック１６の上面から上方側に一体的に突出形成されている。このＨ形鋼１７の両フランジ１７ａ、１７ａを連結するウェブ１７ｂの上端部が挿入部１３ａに挿入された状態で、一対の挟持体１４Ａ，１４Ｂを保持状態に切換えることにより、振動装置２の下端部側にブロック体３の上端部側を挟持固定して保持する。ちなみに、一対の挟持体１４Ａ，１４Ｂを解除状態に切換えることにより、振動装置２によるブロック体３の保持が解除される。
【００３０】
すなわち、ブロック体３のＨ形鋼１７は、振動装置２に係脱自在に係合保持される。このようにして一対の挟持体１４Ａ，１４Ｂによって強固に挟持されたＨ形鋼１７は、振動装置２の支持ブラケット１３と一体化し、振動体８と一体的に振動する。このため、ブロック体３を高周波で効率的に加振することも可能になる。
【００３１】
また、このＨ形鋼１７を平面視ブロック体３の中央部に配置することにより、コンクリートブロック１６の重心を通る鉛直線上にＨ形鋼１７の形成方向を設置している。このため、振動装置２をブック部３１に引掛けて吊下げ支持するとともに、振動装置２にブロック体３を保持させた場合には、フック部３１と、振動装置３の重心と、ブロック体３のＨ形鋼１７とが鉛直方向に一直線上に並んで、ブロック体３が鉛直方向に効率的に振動可能な状態になる。
【００３２】
該構成の締固め装置１を用いた締固め作業では、吊下げ装置であるクレーン３０のフック部３１に、振動装置２のリング部４ａが引掛けられて吊下げ支持され、ブロック体３が、振動装置２の保持機構１２に保持されることにより振動装置２と一体化される。
【００３３】
法面Ｇの締固めに用いられるブロック体３の土羽打ちは、ブロック体１３の傾斜面１６ａが法面Ｇに接当する位置まで、締固め装置１を下降させた後、振動装置２によってブロック体３を鉛直方向に加振し、傾斜面１６ａを連続的に高速で法面Ｇに突き当てることにより行う。このブロック体３の振動方向が、法面Ｇの法線方向ではなく、重力方向である鉛直方向に設定される。このため、ブロック体３の鉛直方向の分力が、法面Ｇの法線方向と、法面Ｇの傾斜方向との作用し、効率の良い締固め作業を行うことが可能になる。
【００３４】
なお、ブロック体３は、重量や傾斜面１６ａの傾きが異なる複数種類のものを容易して、適宜選択できるようにする。
【符号の説明】
【００３５】
２  振動装置
３  ブロック体
１４Ａ，１４Ｂ  挟持体
１６  コンクリートブロック
１６ａ  押圧面（傾斜面）
１７  Ｈ形鋼（金属製棒状部材）
３０  クレーン（吊下げ装置）
Ｇ  法面（斜面）
【図１】
0003163439.tif 000003
【図２】
0003163439.tif 000004